(57)【要約】【課題】スポーツである以上、勝敗を決するルールはあるものの、皆が楽しんでプレイできる改良型のテーブルテニス用具の提供を図る。【解決手段】改良型のテーブルテニス用具であって、ラケットは把持部の先端部に長さ２００〜２６０ｍｍ、幅１２０〜１６０ｍｍの平板状の打面を備えて成り、ボールは球形であって直径４０〜６０ｍｍを有し、コートテーブルは、シングル用で長さ１８００〜２６００ｍｍ、幅１０００〜１５００ｍｍ、ダブルス用で長さ２８００〜３６００ｍｍ、幅１５００〜２５００ｍｍの平板状で所定高さの脚部を備えて成り、ネットは高さ２５０〜５００ｍｍのネット状帯体であって、シングル用で１０００ｍｍ以上、ダブルス用で１５００以上の長さを有し、各端辺には夫々支柱が備えられて成る構成となっている【選択図】図１
0003170742.tif 000002
【実用新案登録請求の範囲】
【請求項１】
コートテーブルと、ネットと、ラケットと、ボールと、から成る改良型テーブルテニス用具であって、
コートテーブルは、長さ１８００〜２６００ｍｍ、幅１０００〜１５００ｍｍの平板状であって、所定高さの脚部を備えて成り、
ネットは、高さ２５０〜５００ｍｍのネット状帯体であって、前記コートテーブル幅の下限である１０００ｍｍ以上の長さを有し、各端辺には夫々支柱が備えられて成り、
ラケットは、把持部の先端部に、長さ２００〜２６０ｍｍ、幅１２０〜１６０ｍｍの平板状の打面を備えて成り、
ボールは、球形であって、直径４０〜６０ｍｍを有して成り、
コートテーブルの長さ方向中間位置においてコートテーブル幅全体に支柱を介してネットを張り、該コートテーブルの各幅縁に略正対するように夫々一のプレイヤーがコートテーブルを挟んで対面した状態で、プレイヤー同士がラケットを介してネット越しにボールを打ち合うことを特徴とするシングル用改良型テーブルテニス用具。
【請求項２】
コートテーブルと、ネットと、ラケットと、ボールと、から成る改良型テーブルテニス用具であって、
コートテーブルは、長さ２８００〜３６００ｍｍ、幅１５００〜２５００ｍｍの平板状であって、所定高さの脚部を備えて成り、
ネットは、高さ２５０〜５００ｍｍのネット状帯体であって、前記コートテーブル幅の下限である１５００ｍｍ以上の長さを有し、各端辺には夫々支柱が備えられて成り、
ラケットは、把持部の先端部に、長さ２００〜２６０ｍｍ、幅１２０〜１６０ｍｍの平板状の打面を備えて成り、
ボールは、球形であって、直径４０〜６０ｍｍを有して成り、
コートテーブルの長さ方向中間位置においてコートテーブル幅全体に支柱を介してネットを張り、該コートテーブルの各幅縁に略正対するように夫々二のプレイヤーがコートテーブルを挟んで対面した状態で、プレイヤー同士がラケットを介してネット越しにボールを打ち合うことを特徴とするダブルス用改良型テーブルテニス用具。
【考案の詳細な説明】
【技術分野】
【０００１】
本考案は、テーブルテニス用具に関し、詳しくは、コートテーブルやネット、ラケット、ボールの大きさを改良した改良型テーブルテニス用具に関するものである。
【背景技術】
【０００２】
テーブルテニスは球技の一種であり、古来よりプロやアマチュア、老若男女を問わず、ルールの簡明さや道具の手に入れ易さから、多くの人たちに愛好され、観戦スポーツとしてではなく、実践スポーツとして日本乃至世界中に普及している。
かかる従来のテーブルテニスは、競技としての側面から、コートテーブルの長さや幅、高さ、ネットの高さ、ボール、ラケット等、使用する用具の大きさ全てが規格化されており、コートテーブルの長さは２７４０ｍｍ、幅は１５２５ｍｍ、高さは７６０ｍｍ、ネットの高さが１５２．５ｍｍ、ボールは４０ｍｍ若しくは４４ｍｍ、と決定されている。
【０００３】
このように規格化された用具の大きさのうち、特にネットの高さがボールスピードに深く関係してくる。すなわち、プレイヤーがラリー中にボールを打ち込む場合に、ネット高が低いほどボールスピードが徐々に増していく傾向がある。これは、ラケットでボールを強く打ち込めば打ち込むほど、ボールがネットに引っ掛かる確率が上がってしまうが、逆にネットが低ければボールがネットを越えて敵陣コートに入る確率が上がるため、よりラケットでボールを強く打ち込むことが可能となり、結果としてボールスピードが上がってしまうこととなるのである。
【０００４】
したがって、従来のテーブルテニスとして既に規格化された１５２．５ｍｍというネット高によると、ボールスピードが思った以上に上がってしまうこととなり、スポーツ競技としては充分に面白いものであるが、ラリーを楽しみたいアマチュアプレイヤー、特に高齢者や障害者にとっては、そのスピードについていくことができず、楽しむよりもかえってテーブルテニス離れの原因、さらにはスポーツ離れの原因ともなりかねない。
【０００５】
【特許文献１】特開２００２−３５１８９号公報
【特許文献２】実開平７−４１５号公報
【考案の開示】
【考案が解決しようとする課題】
【０００６】
そこで、本考案は、上記事情に鑑みてなされたものであり、スポーツである以上、勝敗を決するルールはあるものの、皆が楽しんでプレイできる改良型のテーブルテニス用具を提供することを課題としている。
【課題を解決するための手段】
【０００７】
このような課題を解決するために、本考案の請求項１に係る改良型テーブルテニス用具は、シングル用であって、長さ１８００〜２６００ｍｍ、幅１０００〜１５００ｍｍの平板状であって、所定高さの脚部を備えて成るコートテーブルと、高さ２５０〜５００ｍｍのネット状帯体であって、前記コートテーブル幅の下限である１０００ｍｍ以上の長さを有し、各端辺には夫々支柱が備えられて成るネットと、把持部の先端部に、長さ２００〜２６０ｍｍ、幅１２０〜１６０ｍｍの平板状の打面を備えて成るラケットと、球形であって、直径４０〜６０ｍｍを有したボールの各用具から構成されている。
【０００８】
また、本考案の請求項２に係る改良型テーブルテニス用具は、ダブルス用であって、長さ２８００〜３６００ｍｍ、幅１５００〜２５００ｍｍの平板状であって、所定高さの脚部を備えて成るコートテーブルと、高さ２５０〜５００ｍｍのネット状帯体であって、前記コートテーブル幅の下限である１５００ｍｍ以上の長さを有し、各端辺には夫々支柱が備えられて成るネットと、把持部の先端部に、長さ２００〜２６０ｍｍ、幅１２０〜１６０ｍｍの平板状の打面を備えて成るラケットと、球形であって、直径４０〜６０ｍｍを有したボールの各用具から構成されている。
【考案の効果】
【０００９】
本考案に係る改良型テーブルテニス用具によれば、従来の規格化されたテーブルテニス用具の大きさを変更することで、集中力を必要とすることはそのままに、障害者も含め老若男女を問わず誰でも楽しんでプレイすることが可能となる。
【００１０】
具体的には、ネット高を従来に比し高く設定することで、ボールの打ち込み力を弱めてラリー中のボールスピードを抑えることができるため、誰でもボールスピードについていくことが可能となり、楽しんでプレイできるようになる。
また、ボールの直径も従来に比し大きく設定してあるため、打ち込んだボールが空気抵抗を受けることでスピードが抑えられ、誰でもそのボールスピードについていくことが可能となる。
さらに、ラケットの大きさを従来に比し小さく設定することで、より素手に近い感覚でボールを打ち込むことが可能となるとともに、ボールが大きく且つスピードが抑えられることによる競技性の欠如を補って、集中力を高める効果を奏する。
【図面の簡単な説明】
【００１１】
【図１】本考案に係るシングル用改良型テーブルテニス用具の実施形態を示す説明図である。（実施例１）
【図２】本考案に係るダブルス用改良型テーブルテニス用具の実施形態を示す説明図である。（実施例２）
【考案を実施するための最良の形態】
【００１２】
以下、本考案に係る改良型テーブルテニス用具の実施形態について、図面を参照しながら説明する。
なお、本考案は、下記の実施形態に示した構成に特に限定されるものではなく、本考案の技術的思想の要旨に逸脱しない範囲で、任意に変更することができるものである。
【実施例１】
【００１３】
図１は、本考案に係るシングル用改良型テーブルテニス用具の実施形態を示す説明図である。
該シングル用改良型テーブルテニス用具は、コートテーブル１と、ネット３と、ラケット５と、ボール６と、から構成されている。
【００１４】
コートテーブル１は、所要厚さを有する平板状であって、長さＰ１については１８００ｍｍから２６００ｍｍの範囲内、幅Ｐ２については１０００ｍｍから１５００ｍｍの範囲内で、任意に決定可能である。
該コートテーブル１の材質については、特に限定はないが、従来のテーブルテニス用具同様、木製ボードに塗装及び化粧張が施されたものが考え得る。
【００１５】
該コートテーブル１の下部には、所定高さの脚部２が備えられている。該脚部２の高さについては、特に限定はなく、従来のテーブルテニス用具の規格同様、例えば７６０ｍｍとすることが考え得る。
なお、該脚部２について、高さ調節機構を備える態様も考え得る。かかる高さ調節機構を備えることで、コートテーブル１の高さ位置が調節可能となり、例えば車椅子使用者がプレイできるように低くしたりする態様が可能となる。
該脚部２の材質について、特に限定はなく、例えばスチールパイプなどが用いられる。
【００１６】
ネット３は、ナイロン紐等がネット状に編み込まれてなるネット状帯体であって、必要に応じて上縁部に樹脂製のカバーが取り付けられている。該ネット３の高さＰ３については、２５０ｍｍから５００ｍｍの範囲内にて任意に決定可能である。また、全長Ｐ４については、少なくとも前記コートテーブル１の下限幅である１０００ｍｍ以上を有している。
【００１７】
該ネット３の各端辺には、夫々支柱４が備えられており、ネット３は該支柱４を介することで、コートテーブル１に張られることとなる。
支柱４の材質や構造については、従来のテーブルテニス用具と同様であれば足りる。ただし、ネット３の高さが従来より高い関係上、支柱４の高さについても当然に従来より高くなる。
【００１８】
ラケット５は、把持部５ａの先端部に平板状の打面５ｂを備えてた構造となっており、該打面５ｂは、従来のテーブルテニス用具と同様、木製からなる単板若しくは合板の表面にゴム等の樹脂製ラバーが貼り付けられて成る。なお、把持部５ａを含めラケット５全体の材質については、木製及び樹脂製のほか、炭素繊維やアリレート、ケブラー、ガラス繊維、チタンなどが必要に応じて用いられる。
該打面５ｂの長さＰ５（Ｐ１５）は２００ｍｍから２６０ｍｍの範囲内、幅Ｐ６（Ｐ１６）は１２０ｍｍから１６０ｍｍの範囲内で、任意に決定可能である。
なお、該ラケット５の形式については、シェイクハンドタイプであるとペンホルダータイプであるとを問わない。
【００１９】
ボール６は、従来のテーブルテニス用具と同様、セルロイド若しくは同質のプラスチック製から成り、球形状であって、特に完全な球形状であることが望ましい。該ボール６の直径Ｐ７（Ｐ１７）は、４０ｍｍから６０ｍｍの範囲内にて任意に決定することができる。
【００２０】
以上の通り構成される本実施例に係るシングル用改良型テーブルテニス用具について、その使用態様については、従来のテーブルテニス用具と特に変わらない。
すなわち、コートセッティングについては、まずプレイする場所にコートテーブル１を設置する。このとき、脚部２の高さ調節機構を調整しつつ設置する。次に、該コートテーブル１の長さ方向における中間位置において、コートテーブル１の幅全体にネット３を張る。その際、ネット３の両端辺に備えられた各支柱４をコートテーブル１の縁部に取り付けることによって、ネット３が張られることとなる。このとき、ネット３の上辺が弛まないように注意する。以上でコートセッティングは終了する。
【００２１】
本実施例に係るシングル用改良型テーブルテニス用具のプレイ方法について、従来のテーブルテニス用具におけるシングル戦のプレイ方法と特に変わるところはない。
すなわち、夫々一名のプレイヤーが、コートテーブル１を挟んで対面する。各プレイヤーの立ち位置は、該コートテーブル１の各幅縁１ａ側であり、該幅縁１ａにおいて略正対するような状態で、敵陣プレイヤーと向き合う。そして各プレイヤーは、競技ルールに従い、ラケット５を介してネット３越しにボール６を打ち合うこととなる。
【００２２】
ところで、本実施例に係るシングル用改良型テーブルテニス用具のプレイルールについて、特に限定するものではないが、その一例を例示する。
（１）３ゲーム制（２ゲーム先取）若しくは５ゲーム制（３ゲーム先取）により行われる。１ゲームは１０ポイント先取制。９対９になったときはデュースとなり、先に２ポイント差を付けた方が勝者。
（２）試合前、ジャンケン勝者によりサービス若しくはレシーブを選択。ジャンケン敗者はプレイコートを選択。
（３）サーブは、目より高い位置からボールを自陣コートに１回バウンドさせてから、敵陣コートに打ち込む。このとき、敵陣コート内にボールが１回バウンドすることで成功。失敗すれば相手の得点。
（４）リターンは、相手の打ち込んだボールが自陣コートに１回バウンドした後、敵陣コートに打ち込む。このとき、敵陣コート内にボールが１回バウンドすることで成功。失敗すれば相手の得点。
（５）一方が５ポイントを取った時点でコートチェンジ。
（６）休憩は、ゲーム間に２分間、ゲーム中のタオル使用等の短時間可能。その他、ケガによる７分間までの中断あり。１試合に１回、１分以内のタイムアウトあり。
【実施例２】
【００２３】
図２は、本考案に係るダブルス用改良型テーブルテニス用具の実施形態を示す説明図である。
該ダブルス用改良型テーブルテニス用具は、コートテーブル１１と、ネット１３と、ラケット１５と、ボール１６と、から構成されている。
【００２４】
コートテーブル１１は、所要厚さを有する平板状であって、長さＰ１１については２８００ｍｍから３６００ｍｍの範囲内、幅Ｐ１２については１５００ｍｍから２５００ｍｍの範囲内で、任意に決定可能である。
該コートテーブル１１の材質については、特に限定はないが、従来のテーブルテニス用具同様、木製ボードに塗装及び化粧張が施されたものが考え得る。
また、コートテーブル１１の表面には、両幅縁１１ａにおける幅方向中間位置を結ぶセンターライン１１ｃが、該コートテーブル１の長さ方向全体に引かれている。
【００２５】
ネット１３は、ナイロン紐等がネット状に編み込まれてなるネット状帯体であって、必要に応じて上縁部に樹脂製のカバーが取り付けられている。該ネット１３の高さＰ１３については、２５０ｍｍから５００ｍｍの範囲内にて任意に決定可能である。また、全長Ｐ１４については、少なくとも前記コートテーブル１１の下限幅である１５００ｍｍ以上を有している。
【００２６】
なお、上記説明した以外の本実施例に係るダブルス用改良型テーブルテニス用具の各構成要素（コートテーブル１１やその下部に備えられる脚部１２、ネット１３、支柱１４、ラケット１５及びボール１６）についての材質並びに構造その他細部については、前記実施例１に記載したシングル用改良型テーブルテニス用具における構成要素の材質・構造等と同様であるため、説明を省略する。
また、本実施例に係るダブルス用改良型テーブルテニス用具の使用態様についても、前記実施例１に記載したシングル用改良型テーブルテニス用具における使用態様と同様であるため、説明を省略する。
【００２７】
本実施例に係るダブルス用改良型テーブルテニス用具のプレイ方法について、従来のテーブルテニス用具におけるダブルス戦のプレイ方法と特に変わるところはない。
すなわち、夫々二名のプレイヤーが、コートテーブル１１を挟んで二対二で対面する。各プレイヤーの立ち位置は、該コートテーブル１１の各幅縁１１ａ側であり、該幅縁１１ａにおいて略正対するような状態で、敵陣プレイヤーと向き合う。そして各プレイヤーは、競技ルールに従い、ラケット１５を介してネット１３越しにボール１６を打ち合うこととなる。
【００２８】
ところで、本実施例に係るダブルス用改良型テーブルテニス用具のプレイルールについて、特に限定するものではないが、その一例を例示する。
（１）３ゲーム制（２ゲーム先取）若しくは５ゲーム制（３ゲーム先取）により行われる。１ゲームは１０ポイント先取制。９対９になったときはデュースとなり、先に２ポイント差を付けた方が勝者。
（２）試合前、ジャンケン勝者側によりサービスする者を、ジャンケン敗者側によりレシーブする者を選択。
（３）サーブは、目より高い位置からボールを自陣コートに１回バウンドさせてから、敵陣コートに打ち込む。その際、自陣コート側右半面から敵陣コート側右半面へ、クロスに打ち込む。そして、敵陣コート内にボールが１回バウンドすることで成功。このとき、センターライン上は成功となる。失敗すれば相手の得点。
（４）リターンは、相手の打ち込んだボールが自陣コートに１回バウンドした後、敵陣コートに打ち込む。このとき、敵陣コート内にボールが１回バウンドすることで成功。失敗すれば相手の得点。なお、サーブも含め、味方二人がボールを交互に打ち込む。
（５）一方が５ポイントを取った時点でコートチェンジ。
（６）休憩は、ゲーム間に２分間、ゲーム中のタオル使用等の短時間可能。その他、ケガによる７分間までの中断あり。１試合に１回、１分以内のタイムアウトあり。
【実施例３】
【００２９】
上述した本考案に係るシングル用改良型テーブルテニス用具のコートテーブル１を横に二つ並べて設置することで、ダブルス用改良型テーブルテニス用具のコートテーブル１１として使用する態様も考え得る。
すなわち、二つのシングル用のコートテーブル１の長さ縁１ｂ同士を接触させて並べ、その接触した長さ縁１ｂ箇所に支柱１４を介してネット１３を張る。そうすることで、二つのシングル用のコートテーブル１における接触させていない長さ縁１ｂが、ダブルス用のコートテーブル１１における幅縁１１ａとして機能することとなる。
【符号の説明】
【００３０】
１    コートテーブル
１ａ  幅縁
１ｂ  長さ縁
２    脚部
３    ネット
４    支柱
５    ラケット
５ａ  把持部
５ｂ  打面
６    ボール
１１    コートテーブル
１１ａ  幅縁
１１ｂ  長さ縁
１１ｃ  センターライン
１２    脚部
１３    ネット
１４    支柱
１５    ラケット
１５ａ  把持部
１５ｂ  打面
１６    ボール
【図１】
0003170742.tif 000003
【図２】
0003170742.tif 000004